(57)【要約】【課題】撮像手段の電荷転送を制御することにより、高画質で低消費電力を実現する撮像装置および撮像電荷転送制御方法を提供する。【解決手段】この撮像装置は、ＣＣＤイメージャー１により撮像された映像信号を出力するための電荷転送を制御するタイミングを発生させるＴＧ２と、ＴＧ２を駆動するためのクロック周波数を整数分の整数倍に周波数変換させるＰＬＬ４と、ＰＬＬ４に対して周波数変換のための周波数切替を制御するＣＰＵ６とを備え、画像処理回路５に任意倍数に時間軸を可変された映像信号を供給する。【選択図】  図１
2004312554.tif 000002
【特許請求の範囲】
【請求項１】
撮像手段により撮像された映像信号に画像処理手段により画像処理を施して出力する撮像装置において、
上記撮像手段により撮像された映像信号を出力するための電荷転送を制御するタイミングを発生させるタイミング発生手段と、
上記タイミング発生手段を駆動するためのクロック周波数を整数分の整数倍に周波数変換させる周波数変換手段と、
上記周波数変換手段に対して周波数変換のための周波数切替を制御する周波数切替制御手段と、
を備え、上記画像処理手段に任意倍数に時間軸を可変された映像信号を供給することを特徴とした撮像装置。
【請求項２】
請求項１記載の撮像装置において、
上記画像処理手段に供給される任意倍数に時間軸を可変された映像信号に応じて、上記画像処理手段の処理速度を増減させることにより、消費電力の制御を可能にしたことを特徴とした撮像装置。
【請求項３】
撮像手段により撮像された映像信号に画像処理手段により画像処理を施して出力する撮像装置の撮像電荷転送制御方法において、
上記撮像手段を駆動する周波数の変換のための周波数切替を制御する周波数切替制御ステップと、
上記撮像手段により撮像された映像信号を出力するための電荷転送を制御するタイミングを発生させるタイミング発生ステップと、
上記タイミング発生手段を駆動するためのクロック周波数を整数分の整数倍に周波数変換させる周波数変換ステップと、
を備え、上記画像処理手段に任意倍数に時間軸を可変された映像信号を供給することを特徴とした撮像電荷転送制御方法。
【請求項４】
請求項３記載の撮像電荷転送制御方法において、
上記撮像装置の動作モードが、動画記録モードまたは動画再生モード、静止画記録モードまたは静止画連続記録モードに応じて、上記撮像手段を駆動する周波数を比較的高い周波数または比較的低い周波数に切替をすることを特徴とした撮像電荷転送制御方法。
【請求項５】
請求項３記載の撮像電荷転送制御方法において、
上記画像処理手段における処理時間の長さおよび／または低消費電力モードであるか否かに応じて、上記撮像手段を駆動する周波数を比較的高い周波数または比較的低い周波数に切替をすることを特徴とした撮像電荷転送制御方法。
【発明の詳細な説明】
【０００１】
【発明の属する技術分野】
本発明は、例えば、撮像手段の電荷転送を制御する撮像装置および撮像電荷転送制御方法に関するものである。
【０００２】
【従来の技術】
従来の撮像装置のＣＣＤ（ｃｈａｒｇｅ  ｃｏｕｐｌｅｄ  ｄｅｖｉｃｅ：固体撮像素子）を用いたイメージセンサーからの映像原信号の時間軸を固定して後段の画像処理回路へ供給する装置では、画像処理時に一旦はＣＣＤイメージセンサーに定められた数の画素を読み出す（またはＣＣＤから掃き出させる）必要があった。
【０００３】
特許文献１には、撮像部の動作のために使用する基準クロックのクロック周波数を電源状況に応じて制御することにより消費電流を抑制する情報処理装置が開示されている。
【０００４】
【特許文献１】
特開２００２−５５７３０号公報
【０００５】
【発明が解決しようとする課題】
そのため、上述した従来の撮像装置では、実際には記録しない映像の場面でも常に高速の画像処理が求められており、これを解決するため、静止画を記録する撮像装置ではライン信号を間引いて出力できるＣＣＤが用いられていたが、この場合、垂直解像度が落ちるなど、実際に得たい映像とは異なる低画質となるという不都合があった。
【０００６】
また、動画を主体として記録したい場合は６０ｆｉｅｌｄｓ／Ｓで画像を処理したい場合が多く、記録を伴わない場合であっても高速での処理は変えることができず、記録時・非記録時とも同じ消費電力を要していたという不都合があった。
【０００７】
また、特許文献１は、消費電流を抑えて撮像部には同一の機能として高速での処理をさせるものであり、後段の画像処理部においては同じ消費電力を要していたという不都合があった。
【０００８】
そこで、本発明は、かかる点に鑑みてなされたものであり、撮像手段の電荷転送を制御することにより、高画質で低消費電力を実現する撮像装置および撮像電荷転送制御方法を提供することを課題とする。
【０００９】
【課題を解決するための手段】
本発明の撮像装置は、撮像手段により撮像された映像信号を出力するための電荷転送を制御するタイミングを発生させるタイミング発生手段と、タイミング発生手段を駆動するためのクロック周波数を整数分の整数倍に周波数変換させる周波数変換手段と、周波数変換手段に対して周波数変換のための周波数切替を制御する周波数切替制御手段とを備え、画像処理手段に任意倍数に時間軸を可変された映像信号を供給するものである。
【００１０】
従って本発明によれば、以下の作用をする。
撮像手段の電荷転送速度および撮像手段から出力される映像原信号をサンプリングするタイミング発生のためのクロック周波数を周波数変換手段により、多段階に切替え、後段の画像処理手段に任意に時間軸を可変した映像信号を供給する。これにより、画像処理手段の処理速度を増減させることにより、消費電力の制御を可能にする。
【００１１】
また、本発明の撮像電荷転送制御方法は、撮像手段を駆動する周波数の変換のための周波数切替を制御する周波数切替制御ステップと、撮像手段により撮像された映像信号を出力するための電荷転送を制御するタイミングを発生させるタイミング発生ステップと、タイミング発生手段を駆動するためのクロック周波数を整数分の整数倍に周波数変換させる周波数変換ステップとを備え、画像処理手段に任意倍数に時間軸を可変された映像信号を供給するものである。
【００１２】
従って本発明によれば、以下の作用をする。
撮像手段の電荷転送速度および撮像手段から出力される映像原信号をサンプリングするタイミング発生のためのクロック周波数を周波数変換ステップにより、多段階に切替え、後段の画像処理手段に任意に時間軸を可変した映像信号を供給する。これにより、画像処理手段の処理速度を増減させることにより、消費電力の制御を可能にする。
【００１３】
【発明の実施の形態】
以下に、本発明の実施の形態について、適宜図面を参照しながら説明する。
図１は、本発明の実施の形態に適用される撮像装置を示す図である。
この撮像装置は、ＣＣＤイメージセンサー（以下、「ＣＣＤ」という。）１と、ＣＣＤ１の電荷転送を制御するタイミングを司る電荷転送パルスＨＰ、ＶＰおよびサンプリングパルスＳＰを発生させるＴＧ（Ｔｉｍｉｎｇ  Ｇｅｎｅｒａｔｏｒ）回路（以下、「ＴＧ」という。）２と、ＣＣＤ１から出力される映像原信号ＶＡをサンプリングパルスＳＰによりサンプリングした後に増幅してＡＤ（ａｎａｌｏｇ  ｔｏ  ｄｉｇｉｔａｌ）変換させるＡＦＥ（Ａｎａｌｏｇ  Ｆｒｏｎｔ  Ｅｎｄ）回路（以下、「ＡＦＥ」という。）３とを有して構成される。
【００１４】
また、この撮像装置は、これらＴＧ２およびＡＦＥ３を駆動するために周波数切替制御信号ＦＣにより基準クロック周波数ＣＬＫを整数分の整数倍（Ｎ／Ｍ倍）に周波数変換させて周波数変換済みクロックＣＬＫＮを生成するＰＬＬ（ｐｈａｓｅ  ｌｏｃｋｅｄ  ｌｏｏｐ）回路（以下、「ＰＬＬ」という。）４と、ＰＬＬ４に対して周波数変換のための周波数切替を動作モード入力ＰＭ、低消費電力モード入力ＯＰまたは画像処理時間ＰＴに応じて周波数切替制御信号ＦＣにより制御するＣＰＵ６と、増幅された映像信号ＶＤに対して画像処理を施して出力映像信号ＶＯを出力する画像処理回路５を有して構成される。
【００１５】
以下に、このように構成された本発明の実施の形態に適用される撮像装置の電荷転送制御動作について説明する。
【００１６】
図２は、動作モードによる電荷転送制御動作を示すフローチャートである。
図２において、ステップＳ１で、動作モードを判断する。具体的には、ＣＰＵ６は、図示しない操作キーに対するユーザーの操作による動作モード入力ＰＭがあったか否かを判断する。
【００１７】
ステップＳ１で動作モードが動画モードのときは、ステップＳ２に移行して、ステップＳ２で、動画記録または動画モニタの動作であるか否かを判断する。具体的には、ＣＰＵ６は、図示しない操作キーに対するユーザーの操作による動作モード入力ＰＭが動画記録または動画モニタの動作に対応するものであるか否かを判断する。
【００１８】
ステップＳ２で動画記録のときは、ステップＳ３に移行して、ステップＳ３で、高速電荷転送用周波数切替制御を行う。具体的には、ＣＰＵ６は、高速電荷転送用周波数に対応する周波数切替制御信号ＦＣをＰＬＬ４に供給する。
【００１９】
ステップＳ４で、高速電荷転送用周波数変換を行う。具体的には、ＰＬＬ４は、ＣＰＵ６からの周波数切替制御信号ＦＣにより基準クロック周波数ＣＬＫを整数分の整数倍（Ｎ／Ｍ倍）に周波数変換させて高速電荷転送用周波数に対応する周波数変換済みクロックＣＬＫＮを生成する。
【００２０】
ステップＳ５で、高速電荷転送を行う。具体的には、ＴＧ２は、高速電荷転送用周波数に対応する周波数変換済みクロックＣＬＫＮにより高速電荷転送用周波数に対応する高速電荷転送のための電荷転送パルスＨＰ、ＶＰおよびサンプリングパルスＳＰを発生させる。ＣＣＤ１は、高速電荷転送のための電荷転送パルスＨＰ、ＶＰにより高速電荷転送を行うことにより映像原信号ＶＡをＡＦＥ３に供給する。ＡＦＥ３は、高速電荷転送のためのンプリングパルスＳＰにより高速電荷転送された映像原信号ＶＡをサンプリングした後に増幅してＡＤ変換して増幅された映像信号ＶＤを画像処理回路５に供給する。画像処理回路５は、高速電荷転送後に増幅された映像信号ＶＤに対して画像処理を施して出力映像信号ＶＯを出力する。ＣＣＤ１からの高速電荷転送に合わせて、画像処理回路５における画像処理にかける時間を比較的短くすることができる。
【００２１】
ステップＳ２で動画モニタのときは、ステップＳ３−１に移行して、ステップＳ３−１で、中速電荷転送用周波数切替制御を行う。具体的には、ＣＰＵ６は、中速電荷転送用周波数に対応する周波数切替制御信号ＦＣをＰＬＬ４に供給する。
【００２２】
ステップＳ４−１で、中速電荷転送用周波数変換を行う。具体的には、ＰＬＬ４は、ＣＰＵ６からの周波数切替制御信号ＦＣにより基準クロック周波数ＣＬＫを整数分の整数倍（Ｎ／Ｍ倍）に周波数変換させて中速電荷転送用周波数に対応する周波数変換済みクロックＣＬＫＮを生成する。
【００２３】
ステップＳ５−１で、中速電荷転送を行う。具体的には、ＴＧ２は、中速電荷転送用周波数に対応する周波数変換済みクロックＣＬＫＮにより中速電荷転送用周波数に対応する中速電荷転送のための電荷転送パルスＨＰ、ＶＰおよびサンプリングパルスＳＰを発生させる。ＣＣＤ１は、中速電荷転送のための電荷転送パルスＨＰ、ＶＰにより中速電荷転送を行うことにより映像原信号ＶＡをＡＦＥ３に供給する。ＡＦＥ３は、中速電荷転送のためのンプリングパルスＳＰにより中速電荷転送された映像原信号ＶＡをサンプリングした後に増幅してＡＤ変換して増幅された映像信号ＶＤを画像処理回路５に供給する。画像処理回路５は、中速電荷転送後に増幅された映像信号ＶＤに対して画像処理を施して出力映像信号ＶＯを出力する。ＣＣＤ１からの中速電荷転送に合わせて、画像処理回路５における画像処理にかける時間を比較的中程度にすることができる。
【００２４】
ステップＳ１で動作モードが静止画モードのときは、ステップＳ６に移行して、ステップＳ６で、静止画記録または静止画連続記録の動作であるか否かを判断する。具体的には、ＣＰＵ６は、図示しない操作キーに対するユーザーの操作による動作モード入力ＰＭが静止画記録または静止画連続記録の動作に対応するものであるか否かを判断する。
【００２５】
ステップＳ６で静止画記録のときは、ステップＳ７に移行して、ステップＳ７で、低速電荷転送用周波数切替制御を行う。具体的には、ＣＰＵ６は、低速電荷転送用周波数に対応する周波数切替制御信号ＦＣをＰＬＬ４に供給する。
【００２６】
ステップＳ８で、低速電荷転送用周波数変換を行う。具体的には、ＰＬＬ４は、ＣＰＵ６からの周波数切替制御信号ＦＣにより基準クロック周波数ＣＬＫを整数分の整数倍（Ｎ／Ｍ倍）に周波数変換させて低速電荷転送用周波数に対応する周波数変換済みクロックＣＬＫＮを生成する。
【００２７】
ステップＳ９で、低速電荷転送を行う。具体的には、ＴＧ２は、低速電荷転送用周波数に対応する周波数変換済みクロックＣＬＫＮにより低速電荷転送用周波数に対応する低速電荷転送のための電荷転送パルスＨＰ、ＶＰおよびサンプリングパルスＳＰを発生させる。ＣＣＤ１は、低速電荷転送のための電荷転送パルスＨＰ、ＶＰにより低速電荷転送を行うことにより映像原信号ＶＡをＡＦＥ３に供給する。ＡＦＥ３は、低速電荷転送のためのンプリングパルスＳＰにより低速電荷転送された映像原信号ＶＡをサンプリングした後に増幅してＡＤ変換して増幅された映像信号ＶＤを画像処理回路５に供給する。画像処理回路５は、低速電荷転送後に増幅された映像信号ＶＤに対して画像処理を施して出力映像信号ＶＯを出力する。ＣＣＤ１からの低速電荷転送に合わせて、画像処理回路５における画像処理にかける時間を比較的長くすることができる。
【００２８】
ステップＳ６で静止画連続記録のときは、ステップＳ７−１に移行して、ステップＳ７−１で、最低速電荷転送用周波数切替制御を行う。具体的には、ＣＰＵ６は、最低速電荷転送用周波数に対応する周波数切替制御信号ＦＣをＰＬＬ４に供給する。
【００２９】
ステップＳ８−１で、最低速電荷転送用周波数変換を行う。具体的には、ＰＬＬ４は、ＣＰＵ６からの周波数切替制御信号ＦＣにより基準クロック周波数ＣＬＫを整数分の整数倍（Ｎ／Ｍ倍）に周波数変換させて最低速電荷転送用周波数に対応する周波数変換済みクロックＣＬＫＮを生成する。
【００３０】
ステップＳ９−１で、最低速電荷転送を行う。具体的には、ＴＧ２は、最低速電荷転送用周波数に対応する周波数変換済みクロックＣＬＫＮにより最低速電荷転送用周波数に対応する最低速電荷転送のための電荷転送パルスＨＰ、ＶＰおよびサンプリングパルスＳＰを発生させる。ＣＣＤ１は、最低速電荷転送のための電荷転送パルスＨＰ、ＶＰにより最低速電荷転送を行うことにより映像原信号ＶＡをＡＦＥ３に供給する。ＡＦＥ３は、最低速電荷転送のためのンプリングパルスＳＰにより最低速電荷転送された映像原信号ＶＡをサンプリングした後に増幅してＡＤ変換して増幅された映像信号ＶＤを画像処理回路５に供給する。画像処理回路５は、最低速電荷転送後に増幅された映像信号ＶＤに対して画像処理を施して出力映像信号ＶＯを出力する。ＣＣＤ１からの最低速電荷転送に合わせて、画像処理回路５における画像処理にかける時間を比較的最大に長くすることができる。
【００３１】
図３は、モード判定動作のフローチャートである。
図３において、ステップＳ１１で、判定周期であるか否かを判断する。具体的には、ＣＰＵ６は、動作モードの判定を行う判定周期の到来を判断する。
【００３２】
ステップＳ１２で、シャッター動作が行われた否かを判断する。具体的には、例えば記録キーの半押し状態のときの動作モード入力ＰＭにより静止画撮影モードであると判断する。
【００３３】
ステップＳ１２でシャッター動作が行われたときは、ステップＳ１３で、静止画撮影モードに移行する。
ステップＳ１４で、連続シャッター動作が行われた否かを判断する。具体的には、例えば連続した記録キーの半押し状態のときの動作モード入力ＰＭにより静止画連続撮影モードであると判断する。
ステップＳ１４で連続シャッター動作が行われたときは、ステップＳ１４−１で、静止画連続撮影モードに移行する。
【００３４】
ステップＳ１２でシャッター動作が行われないときは、ステップＳ１５で、動画記録動作が行われた否かを判断する。具体的には、例えば記録キーの全押し状態のときの動作モード入力ＰＭにより動画撮影モードであると判断する。
【００３５】
ステップＳ１５で、動画記録動作が行われたときは、ステップＳ１６で、動画撮影モードに移行する。
ステップＳ１７で、動画撮影時のモニタ動作であるか否かを判断する。具体的には、例えば記録キーの全押しを解除した状態のときの動作モード入力ＰＭにより動画撮影モニタモードであると判断する。
ステップＳ１７で、動画撮影時のモニタ動作が行われたときは、ステップＳ１７−１で、動画モニタモードに移行する。
【００３６】
ステップＳ１５で、動画記録動作が行われないときは、ステップＳ１８で、スタンバイ状態であるか否かを判断する。具体的には、例えばいずれのキーも押されない状態に応じた動作モード入力ＰＭによりスタンバイ状態であるであると判断する。
【００３７】
図４は、後段処理時間による電荷転送制御動作を示すフローチャートである。
図４において、ステップＳ２１で、後段処理時間を判断する。具体的には、ＣＰＵ６は、画像処理回路５から画像処理時間ＰＴが比較的長いか短いかを判断する。
【００３８】
ステップＳ２１で画像処理時間が比較的短いときは、ステップＳ２２に移行して、ステップＳ２２で、低消費電力モードであるか否かを判断する。具体的には、ＣＰＵ６は、図示しない操作キーに対するユーザーの操作による低消費電力モード入力ＯＰが入力されたか否かを判断する。
【００３９】
ステップＳ２２で低消費電力モードでないときは、ステップＳ２３に移行して、ステップＳ２３で、高速電荷転送用周波数切替制御を行う。具体的には、ＣＰＵ６は、高速電荷転送用周波数に対応する周波数切替制御信号ＦＣをＰＬＬ４に供給する。
【００４０】
ステップＳ２４で、高速電荷転送用周波数変換を行う。具体的には、ＰＬＬ４は、ＣＰＵ６周波数切替制御信号ＦＣにより基準クロック周波数ＣＬＫを整数分の整数倍（Ｎ／Ｍ倍）に周波数変換させて高速電荷転送用周波数に対応する周波数変換済みクロックＣＬＫＮを生成する。
【００４１】
ステップＳ２５で、高速電荷転送を行う。具体的には、ＴＧ２は、高速電荷転送用周波数に対応する周波数変換済みクロックＣＬＫＮにより高速電荷転送用周波数に対応する高速電荷転送のための電荷転送パルスＨＰ、ＶＰおよびサンプリングパルスＳＰを発生させる。ＣＣＤ１は、高速電荷転送のための電荷転送パルスＨＰ、ＶＰにより高速電荷転送を行うことにより映像原信号ＶＡをＡＦＥ３に供給する。ＡＦＥ３は、高速電荷転送のためのンプリングパルスＳＰにより高速電荷転送された映像原信号ＶＡをサンプリングした後に増幅してＡＤ変換して増幅された映像信号ＶＤを画像処理回路５に供給する。画像処理回路５は、高速電荷転送後に増幅された映像信号ＶＤに対して画像処理を施して出力映像信号ＶＯを出力する。画像処理回路５における画像処理にかかる時間が比較的短いのに合わせて、ＣＣＤ１から高速電荷転送することができる。
【００４２】
ステップＳ２２で低消費電力モードのときは、ステップＳ２３−１に移行して、ステップＳ２３−１で、中速電荷転送用周波数切替制御を行う。具体的には、ＣＰＵ６は、中速電荷転送用周波数に対応する周波数切替制御信号ＦＣをＰＬＬ４に供給する。
【００４３】
ステップＳ２４−１で、中速電荷転送用周波数変換を行う。具体的には、ＰＬＬ４は、ＣＰＵ６周波数切替制御信号ＦＣにより基準クロック周波数ＣＬＫを整数分の整数倍（Ｎ／Ｍ倍）に周波数変換させて中速電荷転送用周波数に対応する周波数変換済みクロックＣＬＫＮを生成する。
【００４４】
ステップＳ２５−１で、中速電荷転送を行う。具体的には、ＴＧ２は、中速電荷転送用周波数に対応する周波数変換済みクロックＣＬＫＮにより中速電荷転送用周波数に対応する中速電荷転送のための電荷転送パルスＨＰ、ＶＰおよびサンプリングパルスＳＰを発生させる。ＣＣＤ１は、中速電荷転送のための電荷転送パルスＨＰ、ＶＰにより中速電荷転送を行うことにより映像原信号ＶＡをＡＦＥ３に供給する。ＡＦＥ３は、中速電荷転送のためのンプリングパルスＳＰにより中速電荷転送された映像原信号ＶＡをサンプリングした後に増幅してＡＤ変換して増幅された映像信号ＶＤを画像処理回路５に供給する。画像処理回路５は、中速電荷転送後に増幅された映像信号ＶＤに対して画像処理を施して出力映像信号ＶＯを出力する。画像処理回路５における画像処理にかかる時間が比較的中程度であるのに合わせて、低消費電力モードでＣＣＤ１から中速電荷転送することができる。
【００４５】
ステップＳ２１で画像処理時間が比較的長いときは、ステップＳ２６に移行して、ステップＳ２６で、低消費電力モードであるか否かを判断する。具体的には、ＣＰＵ６は、図示しない操作キーに対するユーザーの操作による低消費電力モード入力ＯＰが入力されたか否かを
判断する。
【００４６】
ステップＳ２６で低消費電力モードでないときは、ステップＳ２７に移行して、ステップＳ２７で、低速電荷転送用周波数切替制御を行う。具体的には、ＣＰＵ６は、低速電荷転送用周波数に対応する周波数切替制御信号ＦＣをＰＬＬ４に供給する。
【００４７】
ステップＳ２８で、低速電荷転送用周波数変換を行う。具体的には、ＰＬＬ４は、ＣＰＵ６周波数切替制御信号ＦＣにより基準クロック周波数ＣＬＫを整数分の整数倍（Ｎ／Ｍ倍）に周波数変換させて低速電荷転送用周波数に対応する周波数変換済みクロックＣＬＫＮを生成する。
【００４８】
ステップＳ２９で、低速電荷転送用電荷転送を行う。具体的には、ＴＧ２は、低速電荷転送用周波数に対応する周波数変換済みクロックＣＬＫＮにより低速電荷転送用周波数に対応する低速電荷転送のための電荷転送パルスＨＰ、ＶＰおよびサンプリングパルスＳＰを発生させる。ＣＣＤ１は、低速電荷転送のための電荷転送パルスＨＰ、ＶＰにより低速電荷転送を行うことにより映像原信号ＶＡをＡＦＥ３に供給する。ＡＦＥ３は、低速電荷転送のためのンプリングパルスＳＰにより低速電荷転送された映像原信号ＶＡをサンプリングした後に増幅してＡＤ変換して増幅された映像信号ＶＤを画像処理回路５に供給する。画像処理回路５は、低速電荷転送後に増幅された映像信号ＶＤに対して画像処理を施して出力映像信号ＶＯを出力する。画像処理回路５における画像処理にかかる時間が比較的長いのに合わせて、ＣＣＤ１から低速電荷転送することができる。
【００４９】
ステップＳ２６で低消費電力モードのときは、ステップＳ２７−１に移行して、ステップＳ２７−１で、最低速電荷転送用周波数切替制御を行う。具体的には、ＣＰＵ６は、最低速電荷転送用周波数に対応する周波数切替制御信号ＦＣをＰＬＬ４に供給する。
【００５０】
ステップＳ２８−１で、最低速電荷転送用周波数変換を行う。具体的には、ＰＬＬ４は、ＣＰＵ６周波数切替制御信号ＦＣにより基準クロック周波数ＣＬＫを整数分の整数倍（Ｎ／Ｍ倍）に周波数変換させて最低速電荷転送用周波数に対応する周波数変換済みクロックＣＬＫＮを生成する。
【００５１】
ステップＳ２９−２で、最低速電荷転送を行う。具体的には、ＴＧ２は、最低速電荷転送用周波数に対応する周波数変換済みクロックＣＬＫＮにより最低速電荷転送用周波数に対応する最低速電荷転送のための電荷転送パルスＨＰ、ＶＰおよびサンプリングパルスＳＰを発生させる。ＣＣＤ１は、最低速電荷転送のための電荷転送パルスＨＰ、ＶＰにより最低速電荷転送を行うことにより映像原信号ＶＡをＡＦＥ３に供給する。ＡＦＥ３は、最低速電荷転送のためのンプリングパルスＳＰにより最低速電荷転送された映像原信号ＶＡをサンプリングした後に増幅してＡＤ変換して増幅された映像信号ＶＤを画像処理回路５に供給する。画像処理回路５は、最低速電荷転送後に増幅された映像信号ＶＤに対して画像処理を施して出力映像信号ＶＯを出力する。画像処理回路５における画像処理にかかる時間が比較的最大に長いのに合わせて、低消費電力モードでＣＣＤ１から最低速電荷転送することができる。
【００５２】
上述した撮像装置において、上述した高速電荷転送時に対応する通常撮影時には、Ａ  ＭＨｚをＮ／Ｍ倍した周波数で駆動する。この時、画像処理回路５はＢＭＨｚで駆動されている。例えば、高速電荷転送時に６０Ｆｉｅｌｄｓ／Ｓで撮像を行なう。
【００５３】
次に中速電荷転送時には、３０Ｆｉｅｌｄｓ／Ｓの撮像を行なう時は周波数切替信号ＦＣを１／２周波数設定とし、ＰＬＬ４に与える。ＰＬＬ４はＡ×Ｎ／Ｍ×１／２ＭＨｚの周波数変換済みクロックＣＬＫＮをＴＧ２、ＡＦＥ３、画像処理回路５に与えることにより、各回路の同期を取りなおす。これにより、ＣＣＤ１からの映像原信号ＶＡの時間軸は２倍に拡大する。ＡＦＥ３のサンプリングやＡＤ変換のタイミングの時間軸もそれぞれ２倍に拡大する。最終的には画像処理回路５の各種処理もＢ×１／２ＭＨｚの速度で可能となり、画像処理回路５での消費電力もこれに比例して下げることが可能となる。
【００５４】
出力映像信号ＶＯの画像としては、動画としてのフレームレートは落ちるものの解像度を落とすことなく撮像できる。
【００５５】
同様にして、低速電荷転送時には、２０Ｆｉｌｅｌｄｓ／Ｓ、最低速電荷転送時には、１０Ｆｉｅｌｄｓ／ＳとＰＬＬ４の選択を増やすことにより、任意の撮像動画を得ることが可能となる。
【００５６】
上述した本発明の実施の形態に限らず、本発明の特許請求の範囲を逸脱しない限り、適宜他の構成をとりうることは言うまでもない。
【００５７】
【発明の効果】
この発明によれば、画像の処理速度に応じた消費電力での撮像を可能とすることができ、また、画像処理回路の変更なく、減速画像の提供を可能とすることができるという効果を奏する。
【図面の簡単な説明】
【図１】本発明の実施の形態に適用される撮像装置を示す図である。
【図２】動作モードによる電荷転送制御動作を示すフローチャートである。
【図３】モード判定動作を示すフローチャートである。
【図４】後段処理時間による電荷転送制御動作を示すフローチャートである。
【符号の説明】
１……ＣＣＤイメージャー、２……ＴＧ、３……ＡＦＥ、４……ＰＬＬ回路、５……画像処理回路、６……ＣＰＵ、ＰＭ……動作モード入力、ＯＰ……低消費電力モード入力、ＰＴ……画像処理時間、ＣＬＫ……基準クロック、ＦＣ……周波数切替制御信号、ＣＬＫＮ……周波数変換済みクロック、ＨＰ、ＶＰ……電荷転送パルス、ＳＰ……サンプリングパルス、ＶＡ……ＣＣＤ映像原信号、ＶＤ……増幅済みデジタル信号、ＶＯ……出力映像信号
【図１】
2004312554.tif 000003
【図２】
2004312554.tif 000004
【図３】
2004312554.tif 000005
【図４】
2004312554.tif 000006